(57)【要約】【課題】監視システムにおいて、表示する映像を適切に選択できるようにする。【解決手段】各々が撮像部（１１）を有する複数のカメラ（Ｃ−１〜Ｃ−Ｎ）に対応して、異常を検出する異常検出部（１２−１〜１２−Ｎ，８３）と、一または複数のカメラから出力された映像信号（Ｖ１〜ＶＮ）を選択して表示装置（６２）に表示させる表示制御部（８２）と、を有し、表示制御部（８２）は、カメラ毎に異常指数を記憶する機能と、異常検出部が何れかのカメラに対応して異常を検出すると、対応するカメラに係る異常指数を増加させる機能と、表示装置（６２）に映像信号（Ｖ１〜ＶＮ）が表示されたカメラに係る異常指数を減少させる機能と、異常指数が大きいカメラにて撮影された映像信号（Ｖ１〜ＶＮ）を異常指数が小さい他のカメラよりも優先して、表示装置（６２）に表示させる機能と、を設けた。【選択図】図１
2017174152.tif 000002
【特許請求の範囲】
【請求項１】
各々が撮像部を有する複数のカメラに対応して、異常を検出する異常検出部と、
一または複数の前記カメラから出力された映像信号を選択して表示装置に表示させる表示制御部と、
を有し、前記表示制御部は、
前記カメラ毎に異常指数を記憶する機能と、
前記異常検出部が何れかの前記カメラに対応して前記異常を検出すると、対応する前記カメラに係る前記異常指数を増加させる機能と、
前記表示装置に前記映像信号が表示された前記カメラに係る前記異常指数を減少させる機能と、
前記異常指数が大きい前記カメラにて撮影された前記映像信号を前記異常指数が小さい他の前記カメラよりも優先して、前記表示装置に表示させる機能と、
を有することを特徴とする監視システム。
【請求項２】
前記表示制御部は、
前記カメラ毎に表示指数を記憶する機能と、
前記表示装置に前記映像信号が表示されなかった前記カメラに係る前記表示指数を増加させる機能と、
前記表示装置に前記映像信号が表示された前記カメラに係る前記表示指数を減少させる機能と、
前記異常指数が同一である複数の前記カメラについて、前記表示指数が大きい前記カメラにて撮影された前記映像信号を前記表示指数が小さい他の前記カメラよりも優先して、前記表示装置に表示させる機能と、
をさらに有することを特徴とする請求項１に記載の監視システム。
【請求項３】
前記表示制御部は、前記異常指数および前記表示指数が同一である複数の前記カメラについて、既定の優先順位に基づいて、前記表示装置に前記映像信号を表示させる前記カメラを選択する機能
をさらに有することを特徴とする請求項２に記載の監視システム。
【発明の詳細な説明】
【技術分野】
【０００１】
本発明は、監視システムに関する。
【背景技術】
【０００２】
近年、様々な設備に設置される監視カメラが増加している。それに伴って、監視カメラの映像を表示させるための表示装置も多くなる。これら表示装置の数量を抑制するために、複数の監視カメラの映像を適宜切り替えつつ表示する手法が知られている。また、監視カメラの映像に優先度を付与し、優先度の高い映像を表示する技術も知られている。例えば、下記特許文献１には、「異常を検知した監視カメラの映像を優先で表示するとともに、表示端末へ表示する監視カメラの表示頻度を均一にできる監視システムを提供する。」と記載されている（要約書参照）。
【先行技術文献】
【特許文献】
【０００３】
【特許文献１】特開２０１４−１９２７１３号公報
【発明の概要】
【発明が解決しようとする課題】
【０００４】
しかし、特許文献１に開示された技術においては、長時間に渡って異常が生じているカメラが存在した場合、直近で異常を検出したカメラの映像が表示されにくくなる等の問題があった。
この発明は上述した事情に鑑みてなされたものであり、表示する映像を適切に選択できる監視システムを提供することを目的とする。
【課題を解決するための手段】
【０００５】
上記課題を解決するため本発明の監視システムにあっては、
各々が撮像部を有する複数のカメラに対応して、異常を検出する異常検出部と、
一または複数の前記カメラから出力された映像信号を選択して表示装置に表示させる表示制御部と、
を有し、前記表示制御部は、
前記カメラ毎に異常指数を記憶する機能と、
前記異常検出部が何れかの前記カメラに対応して前記異常を検出すると、対応する前記カメラに係る前記異常指数を増加させる機能と、
前記表示装置に前記映像信号が表示された前記カメラに係る前記異常指数を減少させる機能と、
前記異常指数が大きい前記カメラにて撮影された前記映像信号を前記異常指数が小さい他の前記カメラよりも優先して、前記表示装置に表示させる機能と、
を有することを特徴とする。
【発明の効果】
【０００６】
本発明によれば、表示する映像を適切に選択できる。
【図面の簡単な説明】
【０００７】
【図１】本発明の一実施形態による監視システムのブロック図である。
【図２】表示装置における表示例を示す図である。
【図３】表示装置における他の表示例を示す図である。
【図４】増減規則テーブルの一例を示す図である。
【図５】各カメラにおいて異常が検出された期間の具体例を示す図である。
【図６】異常指数の推移の一例を示す図である。
【図７】表示指数の推移の一例を示す図である。
【図８】表示装置における他の表示例を示す図である。
【発明を実施するための形態】
【０００８】
［実施形態の概略構成］
本発明の一実施形態による監視システムの構成を説明する。図１は、本実施形態による監視システム１のブロック図である。
図１において、監視システム１は、複数（Ｎ台）のカメラＣ−１〜Ｃ−Ｎ（以下、カメラＣと総称することがある）と、ネットワーク４０と、記録装置５０と、制御装置８０と、表示装置６１，６２とを有している。
カメラＣ−１〜Ｃ−Ｎは、映像を撮像する撮像部１１−１〜１１−Ｎ（以下、撮像部１１と総称する場合がある）と、撮像した映像から異常を検出する異常検出部１２−１〜１２−Ｎ（以下、異常検出部１２と総称する場合がある）と、通信部１３−１〜１３−Ｎ（以下、通信部１３と総称する場合がある）とを有している。
【０００９】
ここで、異常検出部１２が検出する「異常」とは、カメラＣの設置目的によって異なる。例えば、車両の進入が禁止されている箇所の映像では、「映像中に車両を検出した」ことが「異常」である。また、本明細書において「異常」という語句は、通常の意味の「異常」のみならず、「注意すべき事象」も含まれる。例えば、重要書類を保管した書庫では、書庫に立ち入った人間は誰であり、どの書類を閲覧したかを監視しなければならない場合がある。この場合は、「書庫内に人間を検出した」という事象が「異常」に含まれる。その他、カメラＣの設置目的に応じて、「動きのある映像を検出した場合」、「ある特定の動きを検出した場合」、「ある装置が故障した場合」等も「異常」に含まれ得る。
【００１０】
また、カメラＣに赤外線センサ、水位センサ、温度センサ、煙センサ、異常音を感知する音センサ等、各種センサを装着してもよい。この場合、これらのセンサの計測値が所定状態になった場合も「異常」に含まれ得る。ここで、撮像部１１−１〜１１−Ｎが撮像した映像を映像信号Ｖ１〜ＶＮとし、異常検出部１２−１〜１２−Ｎによって検出された異常の有無および異常の内容を状態信号Ｓ１〜ＳＮとする。通信部１３−１〜１３−Ｎは、ネットワーク４０を介して、これら信号Ｖ１〜ＶＮ，Ｓ１〜ＳＮを送信する。
【００１１】
記録装置５０および制御装置８０は、ＣＰＵ（Central Processing Unit）、ＲＡＭ（Random Access Memory）、ＲＯＭ（Read Only Memory）、ＨＤＤ（Hard Disk Drive）等、一般的なコンピュータとしてのハードウエアを備えており、ＨＤＤには、ＯＳ（Operating System）、アプリケーションプログラム、各種データ等が格納されている。ＯＳおよびアプリケーションプログラムは、ＲＡＭに展開され、ＣＰＵによって実行される。図１において記録装置５０および制御装置８０の内部は、ＲＡＭに展開されたアプリケーションプログラム等によって実現される機能を、ブロックとして示す。
【００１２】
記録装置５０において、通信部５１は、ネットワーク４０を介して映像信号Ｖ１〜ＶＮおよび状態信号Ｓ１〜ＳＮを受信する。映像記録部５２は、受信した映像信号Ｖ１〜ＶＮを記録する。また、異常記録部５２は、受信した状態信号Ｓ１〜ＳＮを記録する。また、記録装置５０は、記録された映像信号Ｖ１〜ＶＮおよび状態信号Ｓ１〜ＳＮの内容を、表示装置６１に適宜表示させることができる。
【００１３】
また、制御装置８０において、通信部８１は、上述した通信部５１と同様に、ネットワーク４０を介して映像信号Ｖ１〜ＶＮおよび状態信号Ｓ１〜ＳＮを受信する。また、異常検出部８３は、映像信号Ｖ１〜ＶＮの異常を検出する。映像信号Ｖ１〜ＶＮから異常を検出する機能は、カメラＣ内の異常検出部１２も有しているが、制御装置８０が異常検出部８３を有することにより、異常検出部１２とは異なる独自の基準で異常を検出することができる。表示制御部８２は、映像信号Ｖ１〜ＶＮの中から表示すべき一または複数の映像信号を選択し、選択した映像を表示装置６２に表示させる。
【００１４】
［実施形態の動作］
〈動作の概要〉
次に、本実施形態の動作を説明する。
図２は、表示装置６２における表示例を示す図である。表示装置６２の表示画面は４分割され、映像信号Ｖ１〜ＶＮのうち４つの映像が所定時間表示される。この所定時間を「フェーズ」と呼ぶ。なお、カメラＣの数（映像信号Ｖの数）であるＮは、ここでは「１０」とする。図２において、第１フェーズ（最左端の表示画面）では、映像信号Ｖ１〜Ｖ４が表示される。第２フェーズ（左から２番目の表示画面）では、何れのカメラＣ−１〜Ｃ−１０も異常を検出しなければ、映像信号Ｖ５〜Ｖ８が表示される。第３フェーズ（左から３番目の表示画面）では、何れのカメラＣ−１〜Ｃ−１０も異常を検出しなければ、映像信号Ｖ９，Ｖ１０，Ｖ１，Ｖ２が表示される。以下同様に、何れのカメラＣ−１〜Ｃ−Ｎも異常を検出しない限り、映像信号Ｖ１〜Ｖ１０が循環的に表示される。
【００１５】
また、図３は、表示装置６２における他の表示例を示す図である。図３において、第１フェーズ（最左端の表示画面）および第２フェーズ（左から２番目の表示画面）では、図２と同様に、映像信号Ｖ１〜Ｖ４および映像信号Ｖ５〜Ｖ６が表示される。ここで、第２フェーズの途中で、カメラＣ−４内の異常検出部１２−４、または制御装置８０内の異常検出部８３において、カメラＣ−４に対応する異常が検出されたとする。すると、第３フェーズにおいては、映像信号Ｖ４が表示される。これにより、ユーザは、映像信号Ｖ４に基づいて、異常の内容を直ちに認識することができる。以下、上述したような表示制御を実現する詳細な構成を説明する。
【００１６】
〈データ構造〉
制御装置８０内の表示制御部８２は、各カメラＣ−１〜Ｃ−Ｎに対して、異常指数および表示指数という二つの値を記憶する。異常指数は、対応するカメラＣが異常を検出したとき、または対応する映像信号の異常を異常検出部８３が検出したときに増加される。また、表示指数は、対応する映像信号が表示装置６２に表示されなかったときに増加される。異常指数および表示指数の何れも、対応する映像信号が表示装置６２に表示されたときに減少される。
【００１７】
また、表示制御部８２は、異常指数および表示指数を増減する際の規則を定めた「増減規則テーブル」を記憶する。図４に、増減規則テーブルの一例を示す。図４に示す例によれば、例えば、カメラＣ−１の異常検出部１２−１または異常検出部８３（図１参照）によってカメラＣ−１に対応する異常が検出されると、カメラＣ−１の異常指数が「＋３」だけ増加されることになる。また、カメラＣ−１の映像信号Ｖ１が表示装置６２に表示されなかった場合は、カメラＣ−１の表示指数が「＋１」だけ増加されることになる。
【００１８】
また、図４に示された「異常指数」および「表示指数」の「減少方法」とは、「当該映像信号が表示装置６２に表示された場合」に適用されるものである。図４に示した例においては、全てのカメラＣについて、表示装置６２に表示されたならば、従前の値にかかわらず、異常指数および表示指数は共に「０」に戻される。但し、カメラＣ毎に異なる減少方法を指定してもよいことは勿論である。また、図４の例において、カメラＣ−１の異常指数の増加方法は「＋３」であり、カメラＣ−２，Ｃ−３については「＋２」であり、他のカメラＣについては「＋１」である。すなわち、カメラＣ毎に増加方法が指定されている。図４の例は、カメラＣ−１の映像信号Ｖ１の表示を最も優先し、次にカメラＣ−２，Ｃ−３の映像信号Ｖ２，Ｖ３の表示を優先しようとする設定例である。
【００１９】
〈表示の優先順位〉
上述した例ではカメラＣの数は「１０」であり、表示装置６２に同時に表示可能な映像信号の数は「４」である。このように、各カメラＣの台数よりも、同時に表示可能な映像信号の数が小さい場合、表示制御部８２は各カメラＣに対して「優先順位」を定め、優先順位の高い順に映像信号を表示装置６２に表示させる。この優先順位は、以下の規則によって定められる。
【００２０】
（規則１）異常指数が大きいカメラは、異常指数が小さいカメラはよりも優先順位が高い。
（規則２）異常指数が同値である場合、表示指数の大きいカメラは、表示指数が小さいカメラはよりも優先順位が高い。
（規則３）異常指数および表示指数が共に同値である場合は、既定の優先順位が適用される。本実施形態において、「既定の優先順位」とは、カメラＣに付与された番号であり、番号が小さいほど優先順位が高い。図１において各カメラには、「Ｃ−１〜Ｃ−Ｎ」の符号を付しているが、この符号に含まれる１〜Ｎの数値が、当該カメラの番号である。
【００２１】
〈動作の具体例〉
次に、本実施形態の動作の具体例を説明する。
まず、図５は、各カメラＣ−１〜Ｃ−Ｎ（但しＮ＝１０）において異常が検出された期間の具体例を示す図である。図５の横軸は時刻であり、時刻ｔ1〜ｔ7は、フェーズ毎の区切りの時刻である。また、時刻ｔ1〜ｔ7から開始されるフェーズを、それぞれフェーズＰＨ１〜ＰＨ７と呼ぶ。また、図５において、異常が検出されている期間を、矩形で示す。図５に示された状況に対して、異常指数の推移を図６に示し、表示指数の推移を図７に示す。図６および図７において、二重丸（◎）を付した欄は、当該フェーズにおいて当該カメラが表示対象である（映像信号が表示装置６２に表示される）ことを示す。
【００２２】
まず、フェーズＰＨ１の動作について検討する。図５において、時刻ｔ1からカメラＣ−１〜Ｃ−１０による監視が開始されたとする。この時点では、全てのカメラについて異常指数および表示指数は初期値すなわち「０」である。従って、表示制御部８２は、上述した「規則３」に基づいて、最も番号が小さい順に４台のカメラＣ−１〜Ｃ−４を表示対象として選択する。すなわち、表示制御部８２は、フェーズＰＨ１では、カメラＣ−１〜Ｃ−４に対応する映像信号Ｖ１〜Ｖ４を表示装置６２に表示させる。映像信号Ｖ１〜Ｖ４が表示装置６２に表示された際、各カメラＣの表示指数が更新される。すなわち、図７のフェーズＰＨ１に示すように、カメラＣ−１〜Ｃ−４の表示指数は「０」に設定され、他のカメラＣ−５〜Ｃ−１０の表示指数は、「０」から「１」だけ加算され「１」になる。
【００２３】
引き続き、図７を参照し、フェーズＰＨ２の動作について検討する。フェーズＰＨ１において表示指数が「１」に設定されたカメラＣ−５〜Ｃ−１０は、上述の「規則２」によれば、カメラＣ−１〜Ｃ−４よりも優先順位が高くなる。そして、「規則３」によれば、これらのうち最も番号が小さい順に４台のカメラＣ−５〜Ｃ−８の優先順位が高くなる。従って、表示制御部８２は、フェーズＰＨ２では、カメラＣ−５〜Ｃ−８に対応する映像信号Ｖ５〜Ｖ８を表示対象として選択し、表示装置６２に表示させる。映像信号Ｖ５〜Ｖ６が表示装置６２に表示された際、各カメラＣの表示指数が更新される。すなわち、図７のフェーズＰＨ２に示すように、カメラＣ−５〜Ｃ−８の表示指数は「０」に設定され、他のカメラＣ−１〜Ｃ−４，Ｃ−９，Ｃ−１０の表示指数は、「１」だけ加算され、「１」または「２」になる。
【００２４】
ここで、再び図５を参照すると、フェーズＰＨ２では、カメラＣ−３以外の全てのカメラＣにおいて、何らかの異常が検出されている。このため、表示制御部８２は、図６のフェーズＰＨ２において、カメラＣ−３以外の全てのカメラＣについて、異常指数（従前の値は全て「０」）を増加させる。増加させる数は、図４に示した通りであり、カメラＣ−１については「＋３」、カメラＣ−２については「＋２」、他のカメラＣ−４〜Ｃ−１０については「＋１」である。
【００２５】
次に、フェーズＰＨ３の動作について検討する。図６のフェーズＰＨ２では、上述のように、カメラＣ−３以外の全てのカメラＣの異常指数が増加された。表示制御部８２は、フェーズＰＨ３では、「規則１」に基づいて、異常指数が「３」および「２」である２台のカメラＣ−１，Ｃ−２を、まず表示対象として選択する。残りの２台は、異常指数が「１」である６台のカメラＣ−４〜Ｃ−１０の中から選択される。ここで、図７のフェーズＰＨ２を参照すると、カメラＣ−９，Ｃ−１０の表示指数が「２」であるため、「規則２」によれば、表示制御部８２は、カメラＣ−９，Ｃ−１０を残り２台の表示対象として選択する。
【００２６】
従って、表示制御部８２は、フェーズＰＨ３では、カメラＣ−１，Ｃ−２，Ｃ−９，Ｃ−１０に対応する映像信号Ｖ１，Ｖ２，Ｖ９，Ｖ１０を表示装置６２に表示させる。さらに、フェーズＰＨ３では、カメラＣ−１，Ｃ−２，Ｃ−９，Ｃ−１０に対応する映像信号が表示装置６２に表示されたことにより、これらの異常指数が一旦は「０」に戻されている。
ここで、再び図５を参照すると、フェーズＰＨ３の期間中に、カメラＣ−２，Ｃ−４，Ｃ−６，Ｃ−７，Ｃ−１０に対応する異常が検出されている。このため、表示制御部８２は、図６のフェーズＰＨ３において、カメラＣ−２，Ｃ−４，Ｃ−６，Ｃ−７，Ｃ−１０の異常指数を増加させている。
【００２７】
次に、フェーズＰＨ４の動作について検討する。図６のフェーズＰＨ３では、図示のように、４台のカメラＣ−２，Ｃ−４，Ｃ−６，Ｃ−７の異常指数は「２」に設定され、この異常指数「２」は他のカメラＣの異常指数よりも高い。従って、表示制御部８２は、フェーズＰＨ４においては、「規則１」により、カメラＣ−２，Ｃ−４，Ｃ−６，Ｃ−７を表示対象として選択する。これにより、表示制御部８２は、対応する映像信号Ｖ２，Ｖ４，Ｖ６，Ｖ７を表示装置６２に表示させる。
【００２８】
また、これにより、フェーズＰＨ４では、カメラＣ−２，Ｃ−４，Ｃ−６，Ｃ−７に対応する異常指数が一旦は「０」に戻されている。ここで、再び図５を参照すると、フェーズＰＨ４の期間中に、カメラＣ−１，Ｃ−２，Ｃ−３，Ｃ−５，Ｃ−６，Ｃ−８に対応する異常が検出されている。このため、表示制御部８２は、図６のフェーズＰＨ４において、カメラＣ−１，Ｃ−２，Ｃ−３，Ｃ−５，Ｃ−６，Ｃ−８の異常指数を増加させている。
【００２９】
次に、フェーズＰＨ５の動作について検討する。図６のフェーズＰＨ４では、図示のように、カメラＣ−１の異常指数は「３」であるため、表示制御部８２は、フェーズＰＨ５において、カメラＣ−１を、まず表示対象として選択する。残りの３台は、異常指数が「２」である４台のカメラＣ−２，Ｃ−３，Ｃ−５，Ｃ−８の中から選択される。ここで、図７のフェーズＰＨ４を参照すると、カメラＣ−２，Ｃ−３，Ｃ−５，Ｃ−８の表示指数は「０」，「３」，「２」，「２」であるため、表示制御部８２は、カメラＣ−３，Ｃ−５，Ｃ−８を残り３台の表示対象として選択する。これにより、表示制御部８２は、対応する映像信号Ｖ１，Ｖ３，Ｖ５，Ｖ８を表示装置６２に表示させる。
【００３０】
また、これにより、図６に示すように、フェーズＰＨ５では、カメラＣ−１，Ｃ−３，Ｃ−５，Ｃ−８に対応する異常指数が一旦は「０」に戻されている。ここで、再び図５を参照すると、フェーズＰＨ５の期間中に、カメラＣ−３，Ｃ−６に対応する異常が検出されている。このため、表示制御部８２は、図６のフェーズＰＨ５において、カメラＣ−３，Ｃ−５の異常指数を増加させている。
【００３１】
次に、フェーズＰＨ６の動作について検討する。図６のフェーズＰＨ５では、図示のように、４台のカメラＣ−２，Ｃ−３，Ｃ−６，Ｃ−１０の異常指数は「１」以上であり、他のカメラＣの異常指数は「０」である。従って、表示制御部８２は、フェーズＰＨ６において、カメラＣ−２，Ｃ−３，Ｃ−６，Ｃ−１０を表示対象として選択し、対応する映像信号Ｖ２，Ｖ３，Ｖ６，Ｖ１０を表示装置６２に表示させる。また、図６に示すように、フェーズＰＨ６では、カメラＣ−２，Ｃ−３，Ｃ−６，Ｃ−１０に対応する異常指数は「０」に戻されている。さらに、図７に示すように、これらのカメラＣ−２，Ｃ−３，Ｃ−６，Ｃ−１０に対応する表示指数も「０」に戻されている。
【００３２】
次に、フェーズＰＨ７の動作について検討する。図６のフェーズＰＨ６では、全てのカメラＣの異常指数は「０」である。また、図７のフェーズＰＨ６では、３台のカメラＣ−４，Ｃ−７，Ｃ−９の表示指数が「２」以上であるから、表示制御部８２は、フェーズＰＨ７において、カメラＣ−４，Ｃ−７，Ｃ−９を、まず表示対象として選択する。そして、表示指数が「１」である残りのカメラＣの中で、最も番号が小さいカメラはＣ−１である。従って、表示制御部８２は、カメラＣ−１を残り１台の表示対象として選択する。これにより、表示制御部８２は、対応する映像信号Ｖ１，Ｖ４，Ｖ７，Ｖ９を表示装置６２に表示させる。
【００３３】
図８は、上述したフェーズＰＨ１〜ＰＨ７において、表示装置６２に表示される映像信号を示す図である。図示の例においては、表示される４つの画像は、優先順位が高い順に、左上、右上、左下、右下の順に表示されている。
以上のように、本実施形態によれば、異常指数と表示指数とに基づいて、表示装置６２に映像信号を表示させるカメラＣ−１〜Ｃ−Ｎを選択し、映像信号が表示されたカメラＣの異常指数および表示指数を初期値（０）に戻すため、カメラＣの優先順位を反映しつつ、直近で異常を検出したカメラＣの映像を速やかに確認することができる。
【００３４】
［変形例］
本発明は上述した実施形態に限定されるものではなく、種々の変形が可能である。上述した実施形態は本発明を理解しやすく説明するために例示したものであり、必ずしも説明した全ての構成を備えるものに限定されるものではない。また、ある実施形態の構成の一部を他の実施形態の構成に置き換えることが可能であり、また、ある実施形態の構成に他の実施形態の構成を加えることも可能である。また、各実施形態の構成の一部について削除し、若しくは他の構成の追加・置換をすることが可能である。上記実施形態に対して可能な変形は、例えば以下のようなものである。
【００３５】
（１）図４に示した増減規則テーブルは、監視システム１の用途に応じて適宜変更してもよい。例えば、図４に示した例においては、「減少方法」は常に「異常指数または表示指数を０（初期値）にする」というものであったが、現在の値から、「０を限度として所定値だけ減少させる」ものであってもよい。
【００３６】
（２）また、上記実施形態において、表示装置６２は画面を４分割して４つの映像信号を表示するものであったが、１つの画像のみを表示するものであってもよく、９分割、２５分割等、分割数を適宜変更してもよい。また、表示装置６２を複数台設けてもよく、それぞれの表示装置６２の分割数を異ならせてもよい。
【００３７】
（３）また、上記実施形態においては、各カメラＣに設けられた異常検出部１２と、制御装置８０に設けられた異常検出部８３とによって、各カメラＣに対応する異常を検出したが、異常検出部１２のみによって異常を検出してもよく、異常検出部８３のみによって異常を検出してもよい。
【符号の説明】
【００３８】
１  監視システム
１１−１〜１１−Ｎ  撮像部
１２−１〜１２−Ｎ  異常検出部
１３−１〜１３−Ｎ  通信部
６１，６２  表示装置
８０  制御装置
８１  通信部
８２  表示制御部
８３  異常検出部
Ｃ−１〜Ｃ−Ｎ  カメラ
ＰＨ１〜ＰＨ７  フェーズ
Ｓ１〜ＳＮ  状態信号
Ｖ１〜ＶＮ  映像信号
【図１】
2017174152.tif 000003
【図２】
2017174152.tif 000004
【図３】
2017174152.tif 000005
【図４】
2017174152.tif 000006
【図５】
2017174152.tif 000007
【図６】
2017174152.tif 000008
【図７】
2017174152.tif 000009
【図８】
2017174152.tif 000010